(57)【特許請求の範囲】
【請求項１】
周波数が低い方から第１、第２、第３のＲＦ信号であり、上記第１と第２のＲＦ信号の周波数間隔と上記２と第３のＲＦ信号の周波数間隔が同じである第１、第２および第３のＲＦ信号を受信し、各受信ＲＦ信号間の信号レベル差が所定値以内である受信システムに用いられる不要波検出装置であって、
上記受信した第１、第２および第３のＲＦ信号を、周波数が等間隔の第１、第２および第３のＩＦ信号にそれぞれ変換する第１、第２および第３の周波数変換器と、
変換された上記第１、第２および第３のＩＦ信号をそれぞれ対応するＩＦ信号の周波数帯域に制限して出力する第１、第２および第３の周波数ろ波器と、
上記第１、第２および第３の周波数ろ波器の出力信号がそれぞれ入力され、上記第１、第２および第３のＲＦ信号の電界強度に対応する電圧値を出力する第１、第２および第３のＲＳＳＩ(Receiving Signal Strength Indicator)回路と、上記第１と第３のＲＳＳＩ回路の出力電圧値の電位差を出力する第１の減算器と、上記第２と第３のＲＳＳＩ回路の出力電圧値の電位差を出力する第２の減算器と、上記第１の減算器の出力と基準信号とを比較する第１の比較器と、上記第２の減算器の出力と上記基準信号とを比較する第２の比較器とで構成され、上記第１の比較器と上記第２の比較器の比較結果に基づいて混変調波の有無を検出し、混変調波が有りと検出された場合は受信システムの動作をオフとする検出信号を出力する混変調歪波検出器とを備えたことを特徴とする不要波検出装置。
【請求項２】
上記基準信号は、各受信ＲＦ信号間の信号レベル差よりも所定レベル大きい電界強度差を表すＤＣ電圧に設定されており、
上記第１の比較器は、上記ＤＣ電圧よりも上記第１の減算器の出力値が高ければ“Ｈ”を、低ければ“Ｌ”を比較出力として出力し、
上記第２の比較器は、上記ＤＣ電圧よりも上記第２の減算器の出力値が高ければ“Ｈ”を、低ければ“Ｌ”を比較出力として出力し、
上記第１の比較器と上記第２の比較器の比較出力はＡＮＤ回路に接続されて論理積が取られ、上記ＡＮＤ回路の出力が“Ｈ”ならば第３の受信信号入力端子に入力された信号は混変調による３次の歪波のみであり、上記ＡＮＤ回路の出力が“Ｌ”ならば第３の受信信号入力端子に入力された信号は所望波であるとして混変調波の有無を検出することを特徴とする請求項１に記載の不要波検出装置。
【請求項３】
上記基準信号は、各受信ＲＦ信号間の信号レベル差よりも所定レベル大きい電界強度差を表すＤＣ電圧に設定されており、
上記第１の比較器は、上記ＤＣ電圧よりも上記第１の減算器の出力値が高ければ“Ｌ”を、低ければ“Ｈ”を比較出力として出力し、
上記第２の比較器は、上記ＤＣ電圧よりも上記第２の減算器の出力値が高ければ“Ｌ”を、低ければ“Ｈ”を比較出力として出力し、
上記第１の比較器と上記第２の比較器の比較出力はＮＯＲ回路に接続されて負の論理和が取られ、上記ＮＯＲ回路の出力が“Ｌ”ならば第３の受信信号入力端子に入力された信号は混変調による３次の歪波のみであり、上記ＮＯＲ回路の出力が“Ｈ”ならば第３の受信信号入力端子に入力された信号は所望波であるとして混変調波の有無を検出することを特徴とする請求項１に記載の不要波検出装置。
【発明の詳細な説明】
【技術分野】
【０００１】
本発明は、周波数が等間隔のＲＦ信号を３波以上受信する受信システムにおいて、受信した信号が所望波の信号か不要波（混変調歪波）であるかを判定し、不要波を受信しないようにする不要波検出装置に関するものである。
【背景技術】
【０００２】
周波数が等間隔のＲＦ信号を３波以上受信する受信システム（例えば、駅構内で電車の乗客の乗降状態を複数映像で監視するシステム等）では、自身の信号（注目している受信信号）以外の受信信号２波による３次混変調歪波が自身の周波数と同じになるので、周波数ろ波器（ｆｉｌｔｅｒ）を通しても不要波である３次混変調歪波を抑圧することができない。
つまり、注目している受信信号が無い場合でも、３次混変調歪波が受信感度レベル以上になると、受信すべきでないものを受信してしまう。
【０００３】
例えば、特許文献１（特開平１０−０４１８３４号公報）には、近接周波数の不要波による相互変調を改善し、呼出信号の受信率を向上させる無線選択呼出受信機において、受信した無線信号を中間周波数に変換する周波数変換回路のトランジスタのバイアスを切り換えて所望波（即ち、注目している受信信号）に対する不要波（３次混変調歪波）の受信レベルを抑制・除去することが記載されている。
【特許文献１】特開平１０−０４１８３４号公報（図１、要約）
【発明の開示】
【発明が解決しようとする課題】
【０００４】
前記特許文献1では、電源電圧を上げて周波数変換回路のトランジスタのバイアスを変化させて飽和特性を改善することによって、不要波（３次混変調歪波）を抑圧・除去し、不要波の受信を回避している。
しかし、回路上（仕様上）の制限により、その受信入力レベルには上限がある。
【０００５】
この発明は、このような問題点を解決するために成されたものであり、周波数が等間隔の３波以上の受信ＲＦ信号の電界強度差を利用して不要波（即ち、混変調波）と所望波とを見分けることによって、使用されている回路（例えば、周波数変換回路）のトランジスタ特性などの制限のために不要波の信号レベルを受信システムの受信感度レベル以下に抑圧しきれない状態の場合でも、不要波の有無を検出することを可能とし、受信システムが受信可能な入力信号レベルの範囲を広げることができる不要波検出装置を提供することを目的とする。
【課題を解決するための手段】
【０００６】
本発明に係る不要波検出装置は、周波数が低い方から第１、第２、第３のＲＦ信号であり、上記第１と第２のＲＦ信号の周波数間隔と上記２と第３のＲＦ信号の周波数間隔が同じである第１、第２および第３のＲＦ信号を受信し、各受信ＲＦ信号間の信号レベル差が所定値以内である受信システムに用いられる不要波検出装置であって、
上記受信した第１、第２および第３のＲＦ信号を、周波数が等間隔の第１、第２および第３のＩＦ信号にそれぞれ変換する第１、第２および第３の周波数変換器と、
変換された上記第１、第２および第３のＩＦ信号をそれぞれ対応するＩＦ信号の周波数帯域に制限して出力する第１、第２および第３の周波数ろ波器と、
上記第１、第２および第３の周波数ろ波器の出力信号がそれぞれ入力され、上記第１、第２および第３のＲＦ信号の電界強度に対応する電圧値を出力する第１、第２および第３のＲＳＳＩ(Receiving Signal Strength Indicator)回路と、上記第１と第３のＲＳＳＩ回路の出力電圧値の電位差を出力する第１の減算器と、上記第２と第３のＲＳＳＩ回路の出力電圧値の電位差を出力する第２の減算器と、上記第１の減算器の出力と基準信号とを比較する第１の比較器と、上記第２の減算器の出力と上記基準信号とを比較する第２の比較器とで構成され、上記第１の比較器と上記第２の比較器の比較結果に基づいて混変調波の有無を検出し、混変調波が有りと検出された場合は受信システムの動作をオフとする検出信号を出力する混変調歪波検出器とを備えたものである。
【発明の効果】
【０００８】
本発明の不要波検出装置によれば、周波数が等間隔の３波以上の受信ＲＦ信号の電界強度差を利用して不要波（混変調波）と所望波とを見分けることによって、使用されている回路のトランジスタ特性などの制限のために不要波の信号レベルを受信システムの受信感度レベル以下に抑圧しきれない状態の場合でも、不要波の有無を検出することが可能であり、受信可能な入力信号レベルの範囲を広げることができる。
【発明を実施するための最良の形態】
【０００９】
以下、図面に基づいて、本発明の一実施の形態について説明する。
なお、各図間において、同一符合は、同一あるいは相当のものであることを表す。
実施の形態１．
図１は、本実施の形態による不要波検出装置の全体構成を示すブロック図である。
本実施の形態による不要波検出装置は、例えば、駅構内で電車の乗降状態を複数の映像で受信して監視するシステムのような「無線で複数のＲＦ信号を受信する受信システム」への適用に好適なものである。
【００１０】
図に示すように、本実施の形態による不要波検出装置は、第１の受信信号入力端子ＣＨ１〜第３の受信信号入力端子ＣＨ３の３つの受信信号入力端子を有している。
そして、各受信信号入力端子（ＣＨ１〜ＣＨ３）にて同時に受信された３つの受信信号（ＲＦ１＋ＲＦ２＋ＲＦ３）は、それぞれ第１の増幅器１〜第３の増幅器３、第１のダウンミキサー４〜第３のダウンミキサー６、第１の周波数ろ波器７〜第３の周波数ろ波器９を通る。
そして、第１の周波数ろ波器７〜第３の周波数ろ波器９のそれぞれの出力は、混変調歪波検出器１０と後段回路（図示なし）に接続される。
【００１１】
次に、図１に示した本実施の形態による不要波検出装置の動作について説明する。
第１の信号入力端子ＣＨ１に入力した受信信号（ＲＦ１＋ＲＦ２＋ＲＦ３）は、第１の増幅器１により増幅され、増幅された第１の受信信号ＲＦ１は第１のダウンミキサー（第１の周波数変換器）４により第１のローカル発振信号ＬＯ１と混合されて第１の中間周波数の信号（第１のＩＦ信号）ＩＦ１にダウンコンバートされる。
第１のダウンミキサー（第１の周波数変換器）４から出力される第１のＩＦ信号ＩＦ１は、第１のＩＦ信号ＩＦ１の周波数帯域のみを通過させる第１の周波数ろ波器７に入力される。
第１の周波数ろ波器７を通過した信号は混変調歪波検出器１０の第１の入力端子ＩＮ１へ入力されると共に、後段回路（図示なし）へも送られる。
【００１２】
また、第２の信号入力端子ＣＨ２に入力した受信信号（ＲＦ１＋ＲＦ２＋ＲＦ３）は、第２の増幅器２により増幅され、増幅された第２の受信信号ＲＦ２は第２のダウンミキサー（第２の周波数変換器）５により第２のローカル発振信号ＬＯ２と混合されて第２の中間周波数の信号（第２のＩＦ信号）ＩＦ２にダウンコンバートされる。
第２のダウンミキサー（第２の周波数変換器）５から出力される第２のＩＦ信号ＩＦ２は、第２のＩＦ信号ＩＦ２の周波数帯域のみを通過させる第２の周波数ろ波器８に入力される。
第２の周波数ろ波器８を通過した信号は混変調歪波検出器１０の第２の入力端子ＩＮ２へ入力されると共に、後段回路（図示なし）へも送られる。
【００１３】
また、第３の信号入力端子ＣＨ３に入力した受信信号（ＲＦ１＋ＲＦ２＋ＲＦ３）は、第３の増幅器３により増幅され、増幅された第３の受信信号ＲＦ３は第３のダウンミキサー（第３の周波数変換器）６により第３のローカル発振信号ＬＯ３と混合されて第３の中間周波数の信号（第３のＩＦ信号）ＩＦ３にダウンコンバートされる。
第３のダウンミキサー（第３の周波数変換器）６から出力される第３のＩＦ信号ＩＦ３は、第３のＩＦ信号ＩＦ３の周波数帯域のみを通過させる第３の周波数ろ波器９に入力される。
第３の周波数ろ波器９を通過した信号は混変調歪波検出器１０の第３の入力端子ＩＮ３へ入力されると共に、後段回路（図示なし）へも送られる。
【００１４】
ここで、第１の受信信号ＲＦ１と第２の受信信号ＲＦ２の周波数間隔と第２の受信信号ＲＦ２と第３の受信信号ＲＦ３の周波数間隔は同じであり、周波数の低い方から、第１の受信信号ＲＦ１、第２の受信信号ＲＦ２、第３の受信信号ＲＦ３であるとする。
具体的には、ＲＦ１＝１６８０ＭＨｚ、ＲＦ２＝１７２０ＭＨｚ、ＲＦ３＝１７６０ＭＨｚであるとする。この場合、ＲＦ１とＲＦ２の周波数間隔およびＲＦ２とＲＦ３の周波数間隔は、いずれも同じ４０ＭＨｚである。
そして、ＬＯ１＝２０８０ＭＨｚ、ＬＯ２＝２１２０ＭＨｚ、ＬＯ３＝２１６０ＭＨｚと設定すると、第１のダウンミキサー４〜第３のダウンミキサー６からは４００ＭＨｚにダウンコンバートされたＩＦ１〜ＩＦ３がそれぞれ出力される。
なお、各周波数ろ波器７〜９は、受信システムが注目している受信信号に対応するＩＦ信号の帯域である３０ＭＨｚに帯域制限をかけるので、注目している受信信号がＲＦ２の場合、第２の周波数ろ波器８からは注目する受信信号ＲＦ２の中間周波数の信号ＩＦ２のみが出力する。
【００１５】
図１に示すように、第１の信号入力端子ＣＨ１〜第３の信号入力端子ＣＨ３のそれぞれに３波（第１の受信信号ＲＦ１、第２の受信信号ＲＦ２および第３の受信信号ＲＦ３）が同時に入力される（ＲＦ１＋ＲＦ２＋ＲＦ３）場合、この３波が入力された時点で回路が有する相互変調歪みより、“２＊ＲＦ２−ＲＦ１”および“２＊ＲＦ２−ＲＦ３”の周波数成分が発生する。
ＲＦ１＝１６８０ＭＨｚ、ＲＦ２＝１７２０ＭＨｚ、ＲＦ３＝１７６０ＭＨｚであるとすると、“ＲＦ３＝２＊ＲＦ２−ＲＦ１”となり、相互変調歪みと信号ＲＦ３は同じ周波数になる。信号ＲＦ１についても同様である。
従って、第１の中間周波数信号ＩＦ１と第３の中間周波数信号ＩＦ３の周波数帯域には周波数が同じである混変調による３次歪成分“２＊ＩＦ２−ＩＦ３”、“２＊ＩＦ２−ＩＦ１”がそれぞれ存在する。
【００１６】
これらの３次歪成分は、第１の中間周波数信号ＩＦ１および第３の中間周波数信号ＩＦ３に対しては十分に低くなる（即ち、Ｃ（carrier）／Ｎ（noise）を確保できる）ように回路を設計しているため、問題にならない。
しかし、第１の受信信号ＲＦ１と第２の受信信号ＲＦ２の２つの受信信号波のみが入力される場合、第３の受信信号入力端子ＣＨ３に対応する第３の周波数ろ波器９の出力には第３の中間周波数信号ＩＦ３と周波数が同じであるＲＦ１（ＩＦ１）とＲＦ２（ＩＦ２）の混変調により発生する３次の歪成分“２＊ＲＦ２−ＲＦ１（２＊ＩＦ２−ＩＦ１）”のみが出力され、この３次の歪成分のレベルが受信感度レベルに対して低いときには問題ないが、それ以上になると誤受信が発生する。
【００１７】
図２は、このとき（即ち、第１の受信信号ＲＦ１と第２の受信信号ＲＦ２の２つの受信信号波のみが入力されるとき）の“ＩＦ周波数−受信電力特性”であり、受信信号と歪成分のレベル差を示している。
なお、図２において、縦軸の「電力」は、後述する図５の縦軸の「ＲＳＳＩ出力電圧」に相当するものである。
図３は、本実施の形態による混変調歪波検出器１０の構成を示すブロック図である。
【００１８】
図３を参照しながら混変調歪波検出器１０の動作について説明する。
第１のＲＳＳＩ（Receiving Signal Strength Indicator）回路１１は、第１の入力端子ＩＮ１に入力された第１の周波数ろ波器７を通過した信号をＤＣ電圧値ＲＳ１に変換して出力する。
即ち、第１のＲＳＳＩ回路１１は、第１の受信信号ＲＦ１の電界強度に対応する電圧値ＲＳ２を出力する。
第２のＲＳＳＩ（Receiving Signal Strength Indicator）回路１２は、第２の入力端子ＩＮ２に入力された第２の周波数ろ波器８を通過した信号をＤＣ電圧値ＲＳ２に変換して出力する。
即ち、第２のＲＳＳＩ回路１２は、第２の受信信号ＲＦ２の電界強度に対応する電圧値ＲＳ２を出力する。
【００１９】
第３のＲＳＳＩ（Receiving Signal Strength Indicator）回路１３は、第３の入力端子ＩＮ３に入力された第３の周波数ろ波器９を通過した信号をＤＣ電圧値ＲＳ３に変換して出力する。
即ち、第３のＲＳＳＩ回路１３は、第３の受信信号ＲＦ３の電界強度に対応する電圧値ＲＳ３を出力する。
また、第１の減算器１４は、第１のＲＳＳＩ回路１４の出力電圧値ＲＳ１と第３のＲＳＳＩ回路１３の出力電圧値ＲＳ３の電位差Ｓ１を求めて出力する。
第２の減算器１５は、第２のＲＳＳＩ回路１２の出力電圧値ＲＳ２と第３のＲＳＳＩ回路１３の出力電圧値ＲＳ３の電位差Ｓ２を求めて出力する。
【００２０】
次に、第１の比較器１６および第２の比較器１７の動作について説明する。
基準信号Ｖｒｅｆは、各受信ＲＦ信号間（即ち、第１の受信信号ＲＦ１、第２の受信信号ＲＦ２、第３の受信信号ＲＦ３の受信信号間）の信号レベル差よりも所定レベル大きい電界強度差を表すＤＣ電圧に設定されているものとする。
例えば、基準信号Ｖｒｅｆは、ＲＳＳＩ回路の特性を考慮して、受信する３波の最大電力弾力レベル差の１０ｄＢに幾らか（ｅｘ．１０ｄＢ）を加えた電力レベル差となるように電位差を設定する。
【００２１】
第１の比較器１６は、第１の減算器１４の出力Ｓ１と基準信号Ｖｒｅｆとを比較して、比較結果Ｃ１を出力する。
なお、比較結果Ｃ１は、第１の減算器１４の出力Ｓ１の方が基準信号Ｖｒｅｆより高ければ“Ｈ”であり、第１の減算器１４の出力Ｓ１の方が基準信号Ｖｒｅｆより低ければ高ければ“Ｌ”である。
即ち、第１の比較器１６は、第１の減算器１４の出力Ｓ１の方が基準信号Ｖｒｅｆより高ければ“Ｈ”を出力し、第１の減算器１４の出力Ｓ１の方が基準信号Ｖｒｅｆより低ければ“Ｌ”を出力する。
【００２２】
第２の比較器１７は、第２の減算器１５の出力Ｓ２と基準信号Ｖｒｅｆとを比較して、比較結果Ｃ２を出力する。
なお、比較結果Ｃ２は、第２の減算器１５の出力Ｓ２の方が基準信号Ｖｒｅｆより高ければ“Ｈ”であり、第２の減算器１５の出力Ｓ２の方が基準信号Ｖｒｅｆより低ければ高ければ“Ｌ”である。
即ち、第２の比較器１７は、第２の減算器１５の出力Ｓ２の方が基準信号Ｖｒｅｆより高ければ“Ｈ”を出力し、第２の減算器１５の出力Ｓ２の方が基準信号Ｖｒｅｆより低ければ“Ｌ”を出力する。
【００２３】
第１の比較器１６の出力Ｃ１と第２の比較器１７の出力Ｃ２は、ＡＮＤ回路１８へ入力され、ＡＮＤ回路１８で出力Ｃ１と出力Ｃ２の論理積が演算され、混変調歪波検出器１０の出力“ＤＥＴ‐ＯＵＴ”となる。
混変調歪波検出器１０の出力“ＤＥＴ−ＯＵＴ”が“Ｈ”ならば、第３の入力端子ＩＮ３に入力された受信信号は混変調による歪波のみであり、“Ｌ”ならば、第３の入力端子ＩＮ３に入力された受信信号は所望波を含むことを示す。
【００２４】
図４は、図３に示した混変調歪波検出器１０の動作を説明するためのフローチャートである。
図３および図４を用いて、混変調歪波検出器１０の動作を説明する。
第１の入力端子ＩＮ１〜第３の入力端子ＩＮ３に入力された各信号の電界強度を第１のＲＳＳＩ回路１１〜第３のＲＳＳＩ回路１３により、それぞれＲＳ１〜ＲＳ３のDC電圧に変換する。（ＳＴＥＰ１）
ＲＳ１とＲＳ３を第１の減算器１４に入力してＲＳ１とＲＳ３の電位差Ｓ１を得、ＲＳ２とＲＳ３を第２の減算器１５に入力し、ＲＳ２とＲＳ３の電位差Ｓ２を得る。
即ち、ＲＳ１とＲＳ３、ＲＳ２とＲＳ３をそれぞれ別の減算器に入力し、電位差Ｓ１とＳ２を得る。（ＳＴＥＰ２）
【００２５】
次に、Ｓ１とＳ２をそれぞれ第１の比較器１６、第２の１７で基準信号Ｖｒｅｆと比較して、Ｓ１の方が基準信号Ｖｒｅｆより高ければＣ１に“Ｈ”を、低ければ“Ｌ”を出力する。また、Ｓ２の方が基準信号Ｖｒｅｆより高ければＣ２に“Ｈ”を、低ければ“Ｌ”を出力する。
この時、基準信号Ｖｒｅｆは、ＲＳＳＩの特性を考慮して、入力３波の最大電力レベル差の１０ｄＢにいくらか(例えば、１０ｄＢ)を加えた電力レベル差となる電位差に設定する。（ＳＴＥＰ３）
最後に、第１の比較器１６の出力Ｃ１と第２の比較器１７の出力Ｃ２の論理積をＡＮＤ回路１８で取り、その出力“ＤＥＴ−ＯＵＴ”が、“Ｈ”ならばＩＮ３に入力された受信信号は混変調による歪波のみであり、“Ｌ”ならばＩＮ３に入力された受信信号は所望波を含むことを示す。（ＳＴＥＰ４）
【００２６】
図５は、混変調歪波検出器１０の出力“ＤＥＴ−ＯＵＴ”が、“Ｈ”のときと、“Ｌ”のときの“ＩＦ周波数−ＲＳＳＩ出力電圧特性”を示す。
ここで、第３の受信信号入力端子ＣＨ３の受信信号が混変調による歪波のみのときは、第３の受信信号入力端子ＣＨ３には、ＲＦ１とＲＦ２およびこの２波に起因する高調波と混変調波しか入ってこない。
このとき、“ＤＥＴ−ＯＵＴ”は“Ｈ”となる。
第３の受信信号入力端子ＣＨ３に第３の受信信号ＲＦ３が入ってくれば、“ＤＥＴ−ＯＵＴ”は“Ｌ”となる。
“ＤＥＴ−ＯＵＴ”が“Ｈ”、つまり、第３の受信信号入力端子ＣＨ３の受信信号が、混変調による３次波歪波のみのとき、この信号により後段の回路（例えば、映像信号の復調回路など）をオフさせ、最終出力装置に出力されないようにする。
【００２７】
このように、本実施の形態では、場所、時間によって受信レベルは変動するが、ある瞬間で見たときの各信号間の受信レベル差が、例えば１０ｄＢ以内であり、このときに発生する３次混変調歪波のレベルは所望波の信号に比べて低く、その差は１０ｄＢを十分に越えるという特性を利用して、３次混変調歪波か所望波かを検出し、その検出信号により後段の回路をオフし３次混変調歪波を最終出力装置に出力しないようにしている。
これにより、入力信号のＣ／Ｎ（carrier／noise）が仕様以上であれば、不要波である３次混変調波の信号レベルが仕様の受信信号レベル以上あったとしても後段回路での復調可能となり、受信信号の入力信号レベル範囲を広げることができる。
【００２８】
以上説明したように、本実施の形態による不要波検出装置は、周波数の低い方から第１のＲＦ信号（ＲＦ１）、第２のＲＦ信号（ＲＦ２）、第３のＲＦ信号（ＲＦ３）であり、第１のＲＦ信号と第２のＲＦ信号の周波数間隔と第２のＲＦ信号と第３のＲＦ信号の周波数間隔が同じである第１、第２および第３のＲＦ信号を受信し、各受信ＲＦ信号間の信号レベル差が所定値以内である受信システムに用いられる不要波検出装置であって、
受信した第１、第２および第３のＲＦ信号（ＲＦ１、ＲＦ２、ＲＦ３）を周波数が等間隔の第１、第２および第３のＩＦ信号（ＩＦ１、ＩＦ２、ＩＦ３）にそれぞれ変換する第１、第２および第３の周波数変換器（４、５、６）と、変換された第１、第２および第３のＩＦ信号をそれぞれ対応するＩＦ信号の周波数帯域に制限して出力する第１、第２および第３の周波数ろ波器（７、８、９）と、第１、第２および第３の周波数ろ波器の出力信号から得る第１、第２および第３のＲＦ信号の電界強度にそれぞれ対応する電圧値を演算処理することにより混変調波の有無を検出し、混変調波が有りと検出された場合は、受信システムの動作をオフとする検出信号を出力する混変調歪波検出器１０とを備えている。
【００２９】
また、混変調歪波検出器１０は、上記第１、第２および第３の周波数ろ波器（７、８、９）の出力信号がそれぞれ入力され、第１、第２および第３のＲＦ信号（ＲＦ１、ＲＦ２、ＲＦ３）の電界強度に対応する電圧値を出力する第１、第２および第３のＲＳＳＩ(Receiving Signal Strength Indicator)回路（１１、１２、１３）と、第１と第３のＲＳＳＩ回路の出力電圧値の電位差を出力する第１の減算器（１４）と、第１と第３のＲＳＳＩ回路の出力電圧値の電位差を出力する第２の減算器（１５）と、第１の減算器の出力と基準信号（Ｖｒｅｆ）とを比較する第１の比較器（１６）と、第２の減算器の出力と基準信号とを比較する第２の比較器（１７）とで構成され、第１の比較器（１６）と第２の比較器（１７）の比較結果に基づいて混変調波の有無を検出し、混変調波が有りと検出された場合は受信システムの動作をオフとする検出信号を出力するように構成されている。
【００３０】
また、上記基準信号（Ｖｒｅｆ）は、各受信ＲＦ信号間の信号レベル差よりも所定レベル大きい電界強度差を表すDC電圧に設定されており、第１の比較器（１６）は、該DC電圧よりも第１の減算器（１４）の出力値が高ければ“Ｈ”を、低ければ“Ｌ”を比較出力として出力し、第２の比較器（１７）は、上記DC電圧よりも第２の減算器（１５）の出力値が高ければ“Ｈ”を、低ければ“Ｌ”を比較出力として出力し、第１の比較器と第２の比較器の比較出力はＡＮＤ回路（１８）に接続されて論理積が取られ、ＡＮＤ回路の出力が“Ｈ”ならば第３の受信信号入力端子に入力された信号は混変調による３次の歪波のみであり、ＡＮＤ回路の出力が“Ｌ”ならば第３の受信信号入力端子に入力された信号は所望波であるとして混変調波の有無を検出するように構成されている。
【００３１】
なお、上記実施の形態では、第１の比較器と第２の比較器の比較出力は、ＡＮＤ回路に接続されて論理積が取られ構成の場合について説明しているが、ＡＮＤ回路に代えてＮＯＲ回路（図示なし）を用いてもよい。
即ち、基準信号（Ｖｒｅｆ）は、各受信ＲＦ信号間の信号レベル差よりも所定レベル大きい電界強度差を表すＤＣ電圧に設定されており、第１の比較器（１６）は、該ＤＣ電圧よりも第１の減算器（１４）の出力値が高ければ“Ｌ”を、低ければ“Ｈ”を比較出力として出力し、第２の比較器（１７）は、上記ＤＣ電圧よりも（１５）第２の減算器の出力値が高ければ“Ｌ”を、低ければ“Ｈ”を比較出力として出力し、第１の比較器と上記第２の比較器の比較出力はＮＯＲ回路に接続されて負の論理和が取られ、ＮＯＲ回路の出力が“Ｌ”ならば第３の受信信号入力端子に入力された信号は混変調による３次の歪波のみであり、ＮＯＲ回路の出力が“Ｈ”ならば第３の受信信号入力端子に入力された信号は所望波であるとして混変調波の有無を検出するように構成してもよい。
【産業上の利用可能性】
【００３２】
この発明は、不要波の信号レベルを受信システムの受信感度レベル以下に抑圧しきれない状態の場合でも、不要波の有無を検出することが可能となり、受信可能な入力信号レベルの範囲を広げることができる不要波検出装置の実現に有用である。
【図面の簡単な説明】
【００３３】
【図１】本発明の実施の形態１に係わる不要波検出装置の全体構成を示すブロック図である。
【図２】２つの受信信号波のみが入力される場合の受信信号と歪成分のレベル差を示す周波数特性図である。
【図３】実施の形態１による混変調歪波検出器の構成を示すブロック図である。
【図４】混変調歪波検出器の動作を説明するためのフローチャートである。
【図５】混変調歪波検出器の出力が“Ｈ”のときと、“Ｌ”のときの“ＩＦ周波数−ＲＳＳＩ出力電圧特性”を示す図である。
【符号の説明】
【００３４】
１〜３  第１〜第３の増幅器
４〜６  第１〜第３のダウンミキサー（周波数変換器）
７〜９  第１〜第３の周波数ろ波器
１０  混変調歪波検出器
１１〜１３  第１〜第３のＲＳＳＩ回路
１４  第１の減算器
１５  第２の減算器
１６  第１の比較器
１７  第２の比較器
１８  ＡＮＤ回路
ＣＨ１〜ＣＨ３  第１〜第３の受信信号入力端子
ＲＦ１〜ＲＦ３  第１〜第３の受信信号
ＬＯ１〜ＬＯ３  第１〜第３のローカル発振信号
ＩＦ１〜ＩＦ３  第１〜第３の中間周数信号
ＩＮ１〜ＩＮ３  第１〜第３の入力端子
ＲＳ１〜ＲＳ３  第１〜第３のＲＳＳＩ出力
Ｖｒｅｆ  基準信号
Ｓ１  第１の減算器出力
Ｓ２  第２の減算器出力
Ｃ１  第１の比較器出力
Ｃ２  第２の比較器出力
ＤＥＴ−ＯＵＴ  混変調歪波検出器出力
【図１】
0004693667.tif 000002
【図２】
0004693667.tif 000003
【図３】
0004693667.tif 000004
【図４】
0004693667.tif 000005
【図５】
0004693667.tif 000006